(57)【要約】【課題】野外で使用されても汚れにくく、損傷しにくい、ゴルフに付随するゲームに用いることができるゴルフプレイ用のコインセットを提供する。【解決手段】円板状の形態を備え、少なくとも一面に、ゴルフのプレイに応じた図柄および文字が設けられ、すぐれたプレイをしたときに与えられるプラスの点数が規定されているプラスコイン１１と、トラブルなどを生じたときに与えられるマイナスの点数が規定されているマイナスコイン１２とからなるコインセット１０。各コインは、金属製あるいは合成樹脂製の円板に図柄および文字を印刷し、あるいは刻印し、その表面に透明な保護層を設けたものである。【選択図】図１
2007202990.tif 000002
【特許請求の範囲】
【請求項１】
円板状の形態を備え、少なくとも一面に、ゴルフのプレイに応じた表示が設けられ、前記ゴルフのプレイに応じてプラスあるいはマイナスの点数が規定されている、ゴルフプレイ用のコインセット。
【請求項２】
各コインの径が３０〜５０ｍｍであり、厚さが２〜５ｍｍであり、前記表示がプレイを暗示ないし明示する図柄とプレイの名称を示す文字とからなる請求項１記載のゴルフプレイ用のコインセット。
【請求項３】
前記表示の上に、透明の保護層が設けられている請求項１または２記載のゴルフプレイ用のコインセット。
【請求項４】
各コインが金属または合成樹脂で形成されており、前記表示が凹または凸の線で形成されている請求項１〜３のいずれかに記載のゴルフプレイ用のコインセット。
【請求項５】
各コインがボールマーカーを兼ねるものである請求項１〜４のいずれかに記載のゴルフプレイ用のコインセット。
【発明の詳細な説明】
【技術分野】
【０００１】
本発明はゴルフプレイ用のコインセットに関する。さらに詳しくは、ゴルフプレイに付随するゲームとして楽しむことができるゴルフゲーム用のコインセットに関する。
【背景技術】
【０００２】
【特許文献１】特開２０００−１２６３５７号公報
【特許文献２】登録実用新案第３０５２３１６号公報
【０００３】
特許文献１には、ＯＢカード、バンカーカード、池ポチャカード、３パットカードおよびロストボールカードからなるゴルフゲームカードが開示されている。これらの各カードは、プラスチックか、強靱な薄い紙などを材質としており、表面にプレイ中のトラブルの様子をおもしろく描かれている。そしてＯＢカードは１ペナルティ、バンカーカードは２ペナルティ、ロストボールは３ペナルティなどと、カード毎にペナルティの点数を変えている。
【０００４】
このカードの使用方法は、該当するプレイをしたプレイヤーに与え、つぎに同じプレイをした者に手渡していく。そして最後に各プレイヤーが持っているカードのペナルティを合計し、チョコレートなどのペナルティを払うか、ゴルフのゲームの打数に加える。それによりゴルフゲームの楽しみが増加する。
【０００５】
特許文献２には、ＯＢ（アウトオブバウンズ）、クロスバンカー（もしくは池への打ち込み）、ガードバンカーへの打ち込みおよび３パットに対応し、マイナスの得点が付された「ペナカード」のほか、ニアピン、ドラコン、パーおよび１パットに対応し、プラスの得点が付された「ヤッターカード」を加え、かつ、全カードの合計得点の和が零になるようにした複数枚セットのゲーム用カードが開示されている。
【発明の開示】
【発明が解決しようとする課題】
【０００６】
前記従来のゴルフゲームカードは、軽量でかさばらず、携帯に便利である半面、ゴルフという野外スポーツの場で用いるので、汚れたり損傷することが多く、耐久性に乏しい。本発明は野外スポーツの場で何回使用されても汚れにくく、損傷しにくい、ゴルフに付随するゲームに用いることができるゴルフプレイ用のコインセットを提供することを技術的な課題としている。
【課題を解決するための手段】
【０００７】
本発明のゴルフプレイ用のコインセット（請求項１）は、円板状の形態を備え、少なくとも一面に、ゴルフのプレイに応じた表示が設けられ、前記ゴルフのプレイに応じてプラスあるいはマイナスの点数が規定されていることを特徴としている。
【０００８】
このようなコインセットでは、各コインの径が３０〜５０ｍｍであり、厚さが２〜５ｍｍであり、前記表示がプレイを暗示ないし明示する図柄とプレイの名称を示す文字とからなるものが好ましい（請求項２）。また、前記表示の上に、透明の保護層が設けられているものが好ましい（請求項３）。さらに各コインが金属または合成樹脂で形成されており、前記表示が凹または凸の線で形成されているものが一層好ましい。前記いずれの場合でも、各コインがボールマーカーを兼ねるものであるのがとくに好ましい。
【発明を実施するための最良の形態】
【０００９】
つぎに図面を参照しながら本発明のコインセットの実施の形態を説明する。図１は本発明のコインセットの一実施形態を示す平面図、図２ａ、図２ｂおよび図２ｃはそれぞれそのコインセットの１個のコインの平面図、側面図および背面図、図２ｄは１個のコインの他の実施形態を示す背面図、図３は複数枚のコインを積み重ねた状態を示す側面図、図４は本発明に関わるコインの他の実施形態を示す平面図である。
【００１０】
図１に示すコインセット１０は、優れたプレイに対応する４枚のプラスコイン１１と、失敗プレイあるいはトラブルに対応する６枚のマイナスコイン１２とから構成されている。なお、これより少なくても多くてもよい。プラスコイン１１は、ドラコンコイン１３、ニアピンコイン１４、バーディコイン１５およびイーグルコイン１６からなる。マイナスコイン１２は、オービーコイン１７、バンカーコイン１８、ウォーターコイン１９、きつつきコイン２０、スリーパットコイン２１、ダブルスコアコイン２２からなる。ウォーターコイン１９はいわゆる池ポチャに該当するコインであり、きつつきコイン２０は、林の中に打ち込んだり、木の根元に転がって打てない状態になったときのコインで、いずれもドロップしてプレイを継続する場合に用いる。
【００１１】
各コインは円板状を呈し、その一面に各プレイをイメージする擬人化した動物が描かれ、さらにその下方に円周に沿って円弧状に各プレイの名称をアルファベットで記載されている。すなわちプラスコイン１１の一種であるドラコンコイン１３には、発音から連想されるドラゴンの首部分の図柄２４が描かれ、下方に「Ｄｏｒａｃｏｎ」の文字２５が記載されている。ただし図柄２４だけとすることもでき、文字２５だけにすることもできる。
【００１２】
ニアピンコイン１４には、ホール２６から首を出したモグラの図柄２７が描かれ、下方に「Ｎｅａｒ  ｐｉｎ」の文字２５が記載されている。同様にバーディコイン１５には歌を歌う小鳥の図柄と「Ｂａｒｄｙ」の文字が記載され、イーグルコイン１６には鷲の図柄と「Ｅａｇｌｅ」の文字が記載されている。
【００１３】
他方、マイナスコイン１２の一種であるオービーコイン１７には、直接はプレイのイメージと関連しないが、口をあけた、あるいは笑っているカバの図柄と「Ｏｕｔ  ｏｆ  ｂｏｕｎｄｓ」の文字が記載されている。同様に、バンカーコイン１８には、砂地にいるガラガラヘビの図柄と「Ｂｕｎｋｅｒ」の文字が記載され、ウォーターコイン１９には池から首を出しているカエルの図柄と「Ｗａｔｅｒ」の文字が記載されている。
【００１４】
また、きつつきコイン２０には、木をつついているきつつきの図柄と「Ｗｏｏｄｅｙ」の文字が期さされ、スリーパットコイン２１には、親亀の上に子亀が乗り、その上に孫亀が乗っている図柄と「Ｔｈｒｅｅ  ｐａｔ」の文字が記載され、ダブルスコアコイン２２には、ドラミングをしているゴリラの図柄と「Ｄｏｕｂｌｅ  ｓｃｏｒｅ」の文字が記載されている。
【００１５】
上記のプラスコイン１１にはそれぞれプレイの価値に応じたプラスの点数が規定され、たとえばドラコンコイン１３は＋３点、ニアピンコイン１４は＋３点、バーディコイン１５は＋６点、イーグルコイン１６は＋１２点が規定されている。ゴルフゲームではバーディとイーグルは単に１打の差であるが、困難度を考慮して、６点の差を与えている。他方、マイナスコイン１２はすでにゴルフゲームに打数のペナルティが課されているので、過酷にならないように、いずれも−３点だけ規定されている。
【００１６】
図２ａに示すように、各コイン３０の径Ｄは、図柄３１や文字３２が鮮明に見えるように、３０〜５０ｍｍ程度とする。しかしこれより大きくても小さくてもよい。３０〜５０ｍｍの径にする場合は、図２ｂに示すように厚さｔは２〜５ｍｍ程度が好ましい。図２ｃに示すように、コイン３０の裏面３３には、点数を表す「＋３」などの文字が記載されている。ただし何も記載しなくてもよく、表面と同じ図柄および文字を記載するようにしてもよい。さらに図４ｄに示す模様など、トランプと同様に各コイン共、同一の図柄としてもよい。コインは通常はすべて同じ大きさにするが、プラスコインとマイナスコインとで大きさを変えたえり、プレイの内容に応じて変えることもできる。
【００１７】
コイン３０の地金は通常は鋼、鉄などの耐久性が高い金属で構成する。金属加工のときに打ち抜いた円形のスクラップを利用する場合は、安価に製造できると共に、環境保護に資する。耐久性を一層向上するべく、ステンレス鋼板を採用してもよい。軽量化を意図する場合は、アルミニウム、チタンなどの軽金属、それらを主体とする合金などを採用することもできる。より豪華なコインとする場合は、銅、真鍮、ブロンズ、さらには銀、金などの貴金属も使用することができる。
【００１８】
また、金属に変えて、ポリアセタール、ナイロン、ポリ塩化ビニルなどの硬質の合成樹脂を採用してもよく、その場合は一層軽量になる。合成樹脂の場合は、表面に金属蒸着層などのメッキ層を設けるのが好ましい。また、陶器、磁器、ファインセラミックス、木、ガラス、石などを用いてもよい。
【００１９】
コイン３０の図柄３１や文字３２は、コインの地金に印刷などで施すことができる。さらに印刷した上に、透明な合成樹脂などからなるオーバーコートないし保護層を設けるのが好ましい。それにより図柄３１や文字３２が消えにくくなる。オーバーコートや保護層は、艶消しにしておくほうが豪華な印象が得られる。コインの地金が金属の場合は、合成樹脂などからなる艶消しの下地層を設けた上に図柄や文字を印刷するのが好ましい。それにより図柄３１や文字３２が見やすくなる。地金の材質あるいは色、さらには下地層、オーバーコートや保護層の色を、プラスコインかマイナスコインかによって、あるいはプレイの内容ごとに変えるようにしてもよい。
【００２０】
図柄３１や文字３２を凸または凹のレリーフないし刻印とする場合は、より豪華なコインとすることができる。その場合はコイン３０の周縁３４を内部より厚くするのが好ましく、それにより、図３に示すようにコイン３０同士を重ねたときに、図柄３１や文字３２がこすれることが防止され、消えにくくなる。金属製のコイン３０の場合は、レリーフないし刻印とする場合もオーバーコートないし保護層を設けるのが好ましい。
【００２１】
上記のように構成されるコインセット１０は、従来のゴルフゲームカードと同様に、所定のプレイを行ったプレイヤーに、そのプレイに該当するコイン３０を手渡し、つぎに同じプレイを行ったプレーヤーに、そのコインを所持しているプレーヤーから手渡す。このようにコイン３０を持ち回りにして移動させていく。たとえば１番ホールでＡプレイヤーがフェアウエイバンカーにつかまると、この時点でＡプレイヤーにバンカーコイン（図１の符号１８）を渡す。２打目にＢプレイヤーがグリーンバンカーにつかまると、Ａプレーヤーが、所持していたバンカーコインをＢプレーヤーに手渡す。
【００２２】
そして最後に点数を計算し、その点数独自の商品を与えたり、ペナルティを課したりして楽しむことができる。点数の計算は、１ホールごとに、あるいは３ホールまたは９ホールごとに行うようにしてもよい。表１に、点数計算の一例を示す。
【表１】
2007202990.tif 000003
【００２３】
特定のホールで該当者が２名以上出た場合、たとえばバーディコイン（図１の符号１５）をもらうプレイヤーが２名以上いる場合でも、ボールがホールから遠いプレイヤーの順にパットを行うので、ホールに近いプレイヤーがバーディコインを取得することになる。したがって不公平感は生じない。ただし、プレイヤー同士の話し合いで、あらかじめジャンケンやコイントスなど、他の方法でそのホールでの取得者を選定するようにすることもできる。
【００２４】
なお、スリーパットコイン（図１の符号２１）は、それを超えるプレイ、すなわちフォーパット以上の場合にも該当することとする。スリーパットの該当者が２名以上いる場合も、最もパット数が多いプレイヤーが最後にパットするので、不公平感は生じない。イーグルコイン、ダブルスコアコインについても、それらを超えるプレイも該当することとする。
【００２５】
プレイの最初は、たとえば幹事がすべてのコインを所持し、該当するプレーが出るごとにそのプレイヤーにコインを手渡していけばよい。ただし、コインであることを利用して、すべてのコインを袋あるいは帽子などの中に入れておき、まあるいは図２ｄのように裏面が同じ模様の場合は裏返しにして並べておき、くじ引きの要領で交互にコインを取らせ、それらのコインを始めの持ち点とすることもできる。その場合は、該当するプレイヤーが現れなかったときは、最初にそのコインを取ったプレイヤーが獲得または負担することになる。そのため、くじ引きの楽しみも増える。
【００２６】
さらに本発明のコインセットは、コインで有ることを利用して、プレイ中にボールがバンカーや池、木の根元に入ったときに、ボールマーカーとして使用することができる。これらの場合は、打罰つき、あるは無打罰で、ボールをドロップしてプレイを続けることになるが、元のボールの位置、あるいはボールが池に入ったときに通過したポイントなどにコイン３０を置き、ドロップするときの目印にする。
【００２７】
とくにウォーターコイン、きつつきコインなどのトラブルに関連するコインは、それらが生じたとき、ボールのドロップによりプレイを継続することがあるので、そのプレイヤーに該当するコインを手渡し、ボールマーカーとして使用してもらえばよい。このコインはグリーン上で用いられる一般的なボールマーカー（径約２０ｍｍ）より大きいため、見やすく、また、すぐに回収するので、見失いにくい利点がある。
【００２８】
前記実施形態ではプラスコインとしてドラコンコイン、ニアピンコイン、バーディコインおよびイーグルコインの４種類を採用しているが、これらに代えて、あるいはこれらに追加して、パーコイン、１パットコイン、アルバトロスコイン、ホールインワンコインなどのプラスコインを採用してもよい。ホールインワンコインやアルバトロスコインは、点数をつけず、金メッキあるいは銀メッキなどの貴金属メッキ製とし、該当者の賞品とすることもできる。また、マイナスコインとしてオービーコイン、バンカーコイン、ウォーターコイン、きつつきコイン、スリーパットコイン、ダブルスコアコインの６種類のコインを示したが、これらに代えて、あるいはこれらに追加して、ロストボールコイン、チョロコインなどを採用することもできる。
【００２９】
また、図４に示すように、コイン３０の周縁近辺で図柄３１の上部に貫通孔３５をあけ、その貫通孔３５にリボン３６やひもを通すようにしてもよい。それによりプレイ中にプレイヤーがリボン３６によってコインを首に掛けたり、ベルトに吊したりすることができ、自分あるいは他のプレイヤーがどのコインを所有しているか、容易にわかる。
【図面の簡単な説明】
【００３０】
【図１】本発明のコインセットの一実施形態を示す平面図である。
【図２】図２ａ、図２ｂおよび図２ｃはそれぞれそのコインセットの１個のコインの平面図、側面図および背面図、図２ｄは１個のコインの他の実施形態を示す背面図である。
【図３】複数枚のコインを積み重ねた状態を示す側面図である。
【図４】本発明に関わるコインの他の実施形態を示す平面図である。
【符号の説明】
【００３１】
１０  コインセット
１１  プラスコイン
１２  マイナスコイン
１３  ドラコンコイン
１４  ニアピンコイン
１５  バーディコイン
１６  イーグルコイン
１７  オービーコイン
１８  バンカーコイン
１９  ウォーターコイン
２０  きつつきコイン
２１  スリーパットコイン
２２  ダブルスコアコイン
２４  図柄
２５  文字
２６  ホール
２７  図柄
３０  コイン
３１  図柄
３２  文字
３３  裏面
３４  周縁
３５  貫通孔
３６  リボン
【図１】
2007202990.tif 000004
【図２】
2007202990.tif 000005
【図３】
2007202990.tif 000006
【図４】
2007202990.tif 000007